(57)【要約】【課題】レンズ位置を推奨される光軸方向位置や周方向位置に設定し易くて、設定が完了したことも認識し易い照明装置を提供すること。【解決手段】照明装置１が、光源に対して静止する第１静止部に対して回転可能になっている回転部材５０を備える。照明装置１が、第１静止部及び回転部材に対して静止する第２静止部とのうちの一方の静止部に設けられる１以上の凸部５６と、第１静止部と第２静止部とのうちの他方の静止部に設けられる１以上の凹部２５とを含む。回転部材５０のθ方向の回転可能範囲内に少なくとも１つの凸部５６が凹部２５に嵌り込む１以上の嵌合周方向位置が存在する。回転部材５０が筐体１０に対して相対回転すると、レンズ３０におけるＺ方向の位置が変動する。【選択図】図５
2020113482.tif 000002
【特許請求の範囲】
【請求項１】
筐体と、
前記筐体内に配置される光源と、
前記光源よりも前記光源から出射される出射光の光軸方向の光出射側に配置されるレンズを含む光学ブロックと、
前記光源に対して静止する第１静止部に対して回転可能になっている回転部材と、を備え、
前記第１静止部と前記回転部材に対して静止する第２静止部とのうちの一方の静止部に設けられる１以上の凸部と、前記第１静止部と前記第２静止部とのうちの他方の静止部に設けられる１以上の凹部とを含み、
前記回転部材の周方向の回転可能範囲内に少なくとも１つの前記凸部が前記凹部に嵌り込む１以上の嵌合周方向位置が存在し、
前記回転部材が前記筐体に対して相対回転すると、前記レンズにおける前記光軸方向の位置が変動することと、前記レンズが前記周方向に回転することの少なくとも一方が実行される、照明装置。
【請求項２】
前記回転部材が前記筐体に対して相対回転すると、前記レンズの前記光軸方向の位置が変動し、
前記回転可能範囲を前記周方向に４等分したときに生成される４つの周方向領域の夫々に少なくとも１つの前記嵌合周方向位置が存在する、請求項１に記載の照明装置。
【請求項３】
前記回転部材が前記嵌合周方向位置に位置していない場合、前記凸部が前記他方の静止部から力を受ける、請求項１又は２に記載の照明装置。
【請求項４】
前記凹部が、前記周方向に間隔をおいて配置されて前記光軸方向に突出する一対の突出部によって画定され、
前記凸部が前記突出部から前記周方向に間隔をおいた状態で、前記凸部が前記他方の静止部から力を受けない、請求項１又は２に記載の照明装置。
【請求項５】
前記回転部材は、環状の本体部と、前記本体部における前記光軸方向の光出射側とは反対側の端部から前記周方向に突出する周方向突出部とを含み、
前記周方向突出部の前記光軸方向の光出射側の端面は、間隔をおいた状態で前記本体部に前記光軸方向に対向し
前記凸部が、前記周方向突出部に含まれ、前記光軸方向の光出射側とは反対側に突出する、請求項１乃至４のいずれか１つに記載の照明装置。
【請求項６】
前記回転部材は、前記光軸方向の位置が略変わらずに前記第１静止部に対して回転可能になっており、
前記光学ブロックは、前記レンズを保持するレンズホルダを有すると共に、前記第１静止部に対する相対回転が制限されており、
前記回転部材が、前記光軸方向に対して傾斜する傾斜溝を有する一方、前記レンズホルダが前記傾斜溝に嵌り込んで前記回転部材が前記第１静止部に対して回転すると前記傾斜溝内における存在位置が変動する嵌合部を有し、
前記凸部は、前記回転部材において前記光軸方向の光出射側とは反対側に突出する部分であり、
前記凹部は、筐体において前記光軸方向の光出射側とは反対側に窪んでいる部分である、請求項１乃至５のいずれか１つに記載の照明装置。
【発明の詳細な説明】
【技術分野】
【０００１】
本開示は、照明装置に関する。
【背景技術】
【０００２】
従来、照明装置としては、特許文献１に記載されているものがある。この照明装置は、基台、光源モジュール、第１円筒部材、第２円筒部材、レンズ保持体、及びレンズを備える。基台は、筐体上側を構成し、光出射側とは反対側に複数のフィンを有する。また、光源モジュールは、基台の光出射側の端面（主面）に固定され、光軸方向のフィン側とは反対側に光を出射する。また、第１円筒部材は、基台に相対移動不可に固定され、第２円筒部材は、第１円筒部材に光軸方向に相対移動可能に取り付けられる。第２円筒部材は、第１円筒部材に対して回転すると第１円筒部材に対する高さ位置が変動する。レンズ保持体は、照明装置の筐体下側を構成する。レンズ保持体は、第２円筒部材の径方向外側に相対移動不可に固定され、レンズは、レンズ保持体の内側に相対移動不可に固定される。レンズは、光軸方向において光源モジュールよりも光出射側に位置する。この照明装置は、レンズ保持体を基台に対して回転させることで基台に対するレンズ保持体の高さ位置を変動させることができるので、光源モジュールに対するレンズの光軸方向位置を適切に調整できる。したがって、出射光の配光角制御を実行できる。
【先行技術文献】
【特許文献】
【０００３】
【特許文献１】特許第６１５９４６０号公報
【発明の概要】
【発明が解決しようとする課題】
【０００４】
レンズの光軸方向位置を移動させることができて出射光の配光角制御を実行できる照明装置に関して、推奨されるレンズの光軸方向位置が存在して推奨される配光状態が存在する場合がある。又は、レンズの回転制御で配光を変更できる照明装置に関して、推奨されるレンズの周方向位置が存在して推奨される配光状態が存在する場合もある。このような場合、ユーザが、照明装置を推奨される配光状態に設定し易いと好ましく、その設定が完了したことを認識し易いと好ましい。
【０００５】
そこで、本開示の目的は、レンズ位置を推奨される光軸方向位置や周方向位置に設定し易くて、設定が完了したことも認識し易い照明装置を提供することにある。
【課題を解決するための手段】
【０００６】
上記課題を解決するため、本開示に係る照明装置は、筐体と、筐体内に配置される光源と、光源よりも光源から出射される出射光の光軸方向の光出射側に配置されるレンズを含む光学ブロックと、光源に対して静止する第１静止部に対して回転可能になっている回転部材と、を備え、第１静止部と回転部材に対して静止する第２静止部とのうちの一方の静止部に設けられる１以上の凸部と、第１静止部と第２静止部とのうちの他方の静止部に設けられる１以上の凹部とを含み、回転部材の周方向の回転可能範囲内に少なくとも１つの凸部が凹部に嵌り込む１以上の嵌合周方向位置が存在し、回転部材が筐体に対して相対回転すると、レンズにおける光軸方向の位置が変動することと、レンズが周方向に回転することの少なくとも一方が実行される。
【０００７】
なお、上記回転部材は、上記第２静止部に含まれる。また、１つの凹部には、１つの凸部のみが嵌まり込み、１つの凹部に、２以上の凸部が嵌まり込むことはない。また、上記凹部に対する上記凸部の嵌り込み（嵌合）は、凹部との間に隙間を有さない状態での嵌り込み（締り嵌めや中間嵌め）でもよい。又は、上記凹部に対する上記凸部の嵌り込み（嵌合）は、隙間を有した状態での嵌り込み（隙間嵌め）でもよく、この場合、上記凹部に対する上記凸部の位置決めは、所定の周方向範囲で実行できればよい。したがって、その場合、各嵌合周方向位置は、隙間嵌めが実行された際に変動可能な周方向幅を有してもよい。また、上記「光源よりも光出射側に配置されるレンズ」という要件は、レンズにおける光軸方向の光出射側の端面が、光源よりも光軸方向の光出射側に位置すれば満たされるものとする。
【発明の効果】
【０００８】
本開示に係る照明装置によれば、レンズ位置を推奨される光軸方向位置や周方向位置に設定し易くて、調整が完了したことも設定し易い。
【図面の簡単な説明】
【０００９】
【図１】本開示の一実施形態に係る照明装置の斜視図である。
【図２】光軸調整用部材の斜視図である。
【図３】照明装置の主要構成の分解斜視図である
【図４】照明装置の筐体の主面に配置されている状態の光源モジュールを示す斜視図である。
【図５】枠体の中心軸が光軸方向に略一致している状態における照明装置の一断面図である。
【図６】レンズホルダとそれに保持されたレンズとで構成される光学ブロックの斜視図である。
【図７】レンズホルダの斜視図である。
【図８】レンズの斜視図である。
【図９】回転部材の斜視図である。
【図１０】光学ブロックと回転部材が一体に統合された回転部材アッセンブリの斜視図である。
【図１１】筐体の第１部材の斜視図である。
【図１２】図１と異なる角度から見たときの照明装置の斜視図である。
【図１３】照明装置を下から見たときの斜視図である。
【図１４】図９を異なる角度から見たときの回転部材の斜視図である。
【図１５】回転部材が嵌合周方向位置に位置していないときの周方向突出部の状態を表す拡大模式斜視図である。
【図１６】回転部材が嵌合周方向位置に位置しているときの周方向突出部の状態を表す拡大模式斜視図である。
【図１７】変形例の照明装置における図１６に対応する拡大模式斜視図である。
【図１８】他の変形例の照明装置における図１６に対応する拡大模式斜視図である。
【発明を実施するための形態】
【００１０】
以下に、本開示に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。また、以下の実施例では、図面において同一構成に同一符号を付し、重複する説明を省略する。また、異なる図間において、各部材における、縦、横、高さ等の寸法比は、必ずしも一致しない。また、図面、及び以下の説明において、Ｒ方向は、筐体１０の径方向であり、θ方向は、筐体１０の周方向である。また、Ｚ方向は、光軸方向であり、筐体１０の高さ方向に一致し、また、レンズ３０の中心軸の延在方向にも一致する。Ｒ方向、θ方向、及びＺ方向は、互いに直交する。また、以下の説明で、上側とは、光軸方向における光出射側とは反対側を指し、下側とは、光軸方向の光出射側を指す。また、以下で説明する傾斜溝を、Ｚ方向に対して傾斜すると共に互いに対向する一対の内側壁面を有する構造であって、一対の内側壁面の間に位置する嵌合部の少なくとも一部を一対の内側壁面でガイドすることで、嵌合部が、一対の内側壁面の延在方向に沿って移動することを可能とする構造として定義する。したがって、傾斜溝は、底部が存在する構造でもよいが、以下で説明する傾斜溝５１のように、光軸方向に対して傾斜する細長い長孔形状を有する貫通孔の構造を有して、回転部材若しくは光学ブロック（レンズアッセンブリ）の側壁を厚さ方向に貫通してもよい。また、以下で説明される構成要素のうち、最上位概念を示す独立請求項に記載されていない構成要素については、任意の構成要素であり、必須の構成要素ではない。
【００１１】
図１は、本開示の一実施形態に係る照明装置１の斜視図である。図１に示すように、照明装置１は、埋込型ユニバーサルダウンライトであり、ホール等の建物の天井に埋め込み配置され、下方に出射される出射光の光軸方向を変動させることができる。より詳しくは、図１に示すように、照明装置１は、筐体１０を備える。筐体１０は、有底円筒状部１１を有する。筐体１０は、有底円筒状部１１内に光源６２（図４参照）を取り付ける取付台として機能し、光源６２に対して静止する第１静止部に含まれる。筐体１０は、上方に突出する複数のフィン１２を有し、筐体全体が、光源６２で発生する熱を放散させるヒートシンクとしても機能し、特にフィン１２が光源６２からの熱を外気に放熱する。このため、筐体１０は、金属材料等の熱伝導率の高い材料によって構成されると好ましい。筐体１０は、例えば、アルミダイカスト等で、有底円筒状部１１とフィン１２を一体成形することで構成される。なお、筐体は、有底円筒状部とフィンを接合する構成でもよい。この場合、例えば、有底円筒状部に設けた突起を、フィンに設けられた孔に挿入した後に塑性変形させることで、有底円筒状部とフィンを接続してもよい。なお、筐体は、フィンを有さなくてもよい。
【００１２】
照明装置１は、更に、バネ取付部材１５、光軸調整用部材１７、及び枠体２０を備える。バネ取付部材１５、光軸調整用部材１７、及び枠体２０の夫々は、アルミニウム等の金属材料、又はポリブチレンテレフタレート等の樹脂材料によって好適に形成される。筐体１０、バネ取付部材１５、光軸調整用部材１７、及び枠体２０は、次に示す如く一体化される。詳しくは、図１に示すように、バネ取付部材１５は、環状平板部１５ａと、２つのバネ取付部１５ｂを含み、２つのバネ取付部１５ｂは、環状平板部１５ａの周方向に間隔をおいた状態で環状平板部１５ａから下側に突出する。また、枠体２０は、筒状部材であり、環状円板状の上側端面（図示せず）を含む。また、図２、すなわち、光軸調整用部材１７の斜視図に示すように、光軸調整用部材１７は、環状平板部１７ａ、上側筐体固定部１７ｂ、及び下側筐体固定部１７ｃを含み、上側筐体固定部１７ｂは、環状平板部１７ａから上側に突出する一方、下側筐体固定部１７ｃは、環状平板部１７ａから下側に突出する。
【００１３】
再度、図１を参照して、バネ取付部材１５の環状平板部１５ａと枠体２０の上側端面とで光軸調整用部材１７の環状平板部１７ａを挟持した状態で、環状平板部１５ａを枠体２０の上側端面にねじ２７で固定する。この固定で、バネ取付部材１５、光軸調整用部材１７、及び枠体２０が一体化される。図２に示すように、上側筐体固定部１７ｂは、長孔１７ｄを有し、下側筐体固定部１７ｃは、円筒孔１７ｅを有する。図１を参照して、光軸調整用部材１７は、長孔１７ｄを用いてねじ２１で筐体１０にねじ止めされると共に円筒孔１７ｅ（図２参照）を用いて図示しないねじで筐体１０にねじ止めされる。
【００１４】
照明装置１は、更に、２つの取付バネ２８を備える。２つの取付バネ２８は、枠体外側にその中心軸を挟んで枠体２０の径方向に対向するように配置され、各取付バネ２８は、バネ取付部１５ｂに固定される。取付バネ２８は、例えば、屈曲部を有する金属板によって構成され、板バネ構造を有する。取付バネ２８を歪ませて、取付バネ２８を埋め込み孔の周囲に当接させる。上述のように、バネ取付部１５ｂは枠体２０に固定されている。したがって、枠体２０は、取付バネ２８が埋め込み孔内面から受ける水平方向の力で天井の埋め込み孔内面に固定される。取付バネ２８は、枠体２０に取り付けられるので、枠体２０に対して静止し、天井の埋め込み孔にも静止する。なお、取付バネは３以上設けられてもよい。また、照明装置の天井への取付構造は、照明装置を天井に固定できる構造であれば如何なる構造でもよく、取付バネを含まなくてもよい。
【００１５】
図１に示すように、枠体２０の中心軸の延在方向がＺ方向に略一致している状態では、筐体１０は、ねじ２１で紙面における長孔１７ｄの右端に固定される。枠体２０を、取付バネ２８を用いて埋め込み孔に固定した状態で、ユーザが上側筐体固定部１７ｂに対するねじ２１の締付力に起因して生じる静止摩擦力以上の力を筐体１０に付与したとする。すると、筐体１０が、円筒孔１７ｅ及び筐体１０に締め込まれたねじ（図示せず）を支点として、ねじ２１が長孔１７ｄ内を図１の左側に移動するように光軸調整用部材１７に対して回転する。換言すると、光軸調整用部材１７は、枠体２０に対して相対移動不可能に固定されているので、筐体１０が枠体２０に対して傾斜する。
【００１６】
したがって、ユーザは、照明装置１が埋め込み孔に固定された後、筐体１０が枠体２０に対して所望の角度傾斜するように調整でき、筐体１０に固定された光源６２（図４参照）からの出射光の光軸を鉛直方向に対して所望の角度だけ傾斜させることができる。よって、照射領域の自由度を格段に高くできる。
【００１７】
照明装置１は、光源６２に対するレンズの光軸方向位置を変動させることができ、出射光を配光角制御できる。次に、このことについて説明する。図３は、照明装置１の主要構成の分解斜視図である。また、図４は、筐体１０の主面２４に配置されている状態の光源モジュール６０を示す斜視図であり、図５は、枠体２０の中心軸がＺ方向に略一致している状態における照明装置１の断面図である。
【００１８】
図３に示すように、照明装置１は、筐体１０及び枠体２０に加えて、レンズ３０、レンズホルダ４０、及び回転部材５０を備える。また、図４に示すように、照明装置１は、筐体１０の主面に固定される光源モジュール６０を備え、光源モジュール６０は、基板６１と、光源６２を有する。基板６１は、平面視で略矩形の形状を有し、光源６２は、円板状の形状を有し、基板６１の下面（実装面）の略中央に配設される。光源モジュール６０は、例えば、ＣＯＢ（Chip On Board）構造を有し、光源６２は、基板６１に実装された複数のＬＥＤ（light emitting diode）と、複数のＬＥＤを封止する封止部材を含む。
【００１９】
基板６１は、例えば、セラミックス基板、樹脂基板、又はメタルベース基板等で構成される。詳述しないが、基板６１には、一対の電極端子と、所定パターンの金属配線が形成される。一対の電極端子は、ＬＥＤを発光させるための直流電力を外部から受電するために設けられる。また、所定パターンの金属配線は、ＬＥＤ同士を電気的に接続するために設けられる。
【００２０】
ＬＥＤは、発光素子の一例である。ＬＥＤは、例えば、単色の可視光を発するベアチップで構成され、通電されれば青色光を発する青色ＬＥＤチップで構成される。複数のＬＥＤは、例えば基板６１にマトリクス状に配置される。なお、ＬＥＤは、基板に１つのみ実装されてもよい。封止部材は、例えば、透光性樹脂で構成され、蛍光体を含む。蛍光体は、ＬＥＤからの光を波長変換する役割を果たす。封止部材は、例えば、シリコーン樹脂に蛍光体粒子を分散させた蛍光体含有樹脂で構成される。光源モジュール６０が白色光を出射し、ＬＥＤが青色光を発光する青色ＬＥＤチップである場合、蛍光体粒子は、例えばＹＡＧ系の黄色蛍光体で構成される。
【００２１】
なお、封止部材は、例えば、全てのＬＥＤを一括封止してもよく、複数のＬＥＤを列ごとにライン状に封止してもよく、各ＬＥＤを１つずつ個別に封止してもよい。また、光源は、ＬＥＤ以外の発光素子で構成されてもよく、半導体レーザ素子や、有機ＥＬ（Electro Luminescence）素子若しくは無機ＥＬ素子等の固体発光素子等で構成されてもよい。又は、光源は、白熱灯や蛍光灯で構成されてもよい。
【００２２】
図４に示すように、基板６１は、例えば、筐体１０の主面２４に設けられた凹部６４に収容される。また、照明装置１は、図示しない２つの基板ホルダを有し、２つの基板ホルダは、基板６１の下側かつ長手方向又は幅方向の両側に配置される。基板ホルダは、例えば、筐体１０に固定された状態でＺ方向から見たときに基板の長手方向又は幅方向の両側端部６１ｅに重なる基板受部（図示せず）を有する。基板ホルダは、図示しないねじを用いて筐体１０の主面２４にねじ孔６５を用いて締め込み固定され、基板６１は、基板受部で主面２４側に押圧されることで筐体１０に固定される。なお、基板を保持する取付板（図示せず）を設け、取付板を基板ホルダとねじを用いて筐体の主面に固定してもよい。
【００２３】
図５を参照して、レンズ３０は、Ｚ方向に関して、光源６２（図４参照）よりも光出射側に配置される。より正確には、レンズ３０におけるＺ方向の光出射側の端面９６は、光源６２よりもＺ方向の光出射側に位置する。また、レンズホルダ４０は、レンズ３０を取り囲むように配置され、回転部材５０は、レンズホルダ４０を取り囲むように配置される。
【００２４】
図６は、レンズホルダ４０とそれに保持されたレンズ３０とで構成される光学ブロック７０の斜視図であり、図７は、レンズホルダ４０の斜視図であり、図８は、レンズ３０の斜視図である。図６に示すように、レンズホルダ４０は、環状部材であり、レンズ３０を取り囲むように配置される。レンズホルダ４０は、アルミニウム等の金属材料、又はポリブチレンテレフタレート等の樹脂材料によって好適に形成される。また、レンズ３０は、透光性を有する透光性材料によって構成され、アクリル、ポリカーボネート、シリコーン等の透明樹脂材料、又は、ガラス材料によって形成されると好ましい。
【００２５】
図７に示すように、レンズホルダ４０は、周方向に間隔をおいて配置される３つのホルダ係止部４１を有し、各ホルダ係止部４１は、Ｚ方向に延在する。ホルダ係止部４１は、Ｒ方向内方に凸の凹面４１ａを含み、凹面４１ａはＲ方向外方を向き、Ｚ方向に延在する。ホルダ係止部４１の役割については後で説明する。また、レンズホルダ４０は、３つのレンズ嵌合部４２を有し、３つのレンズ嵌合部４２は、θ方向に略等間隔に配置されて内周側に配置される。レンズ嵌合部４２は、Ｒ方向内方に突出する突出部で構成される。図８に示すように、レンズ３０は、Ｚ方向下側に行くにしたがって末広がりとなる形状を有する。レンズ３０は、外周側の下側端部にθ方向に略等間隔に配置される３つのホルダ嵌合部３１を有する。ホルダ嵌合部３１は、レンズ嵌合部４２（図７参照）の形状に対応する形状を有して、Ｒ方向内側に窪む凹部で構成される。レンズ嵌合部４２をホルダ嵌合部３１に圧入で嵌合させることで、レンズ３０がレンズホルダ４０に固定され、その結果、図６に示す光学ブロック７０が構成される。
【００２６】
次に、回転部材５０に対する光学ブロック７０の相対移動可能な統合構造について説明する。図７に示すように、レンズホルダ４０は、外周側に２つの嵌合爪４８を有する。嵌合爪４８は、嵌合部の一例である。２つの嵌合爪４８は、Ｒ方向に対向するように配置され、各嵌合爪４８は、一対の傾斜面４８ａ,４８ｂを有する板形状を有する。各傾斜面４８ａ,４８ｂは、Ｚ方向に対して傾斜する方向に延在する。
【００２７】
図９は、回転部材５０の斜視図である。回転部材５０は、ポリカーボネート等のばね性を有する樹脂材料で構成されると好ましいが、硬い樹脂材料や金属材料で構成されてもよい。図９に示すように、回転部材５０は、略円筒状の部材であり、θ方向に間隔をおいて配置される２つの傾斜溝５１を有する。傾斜溝５１は、螺旋溝の一部からなる形状を有する。傾斜溝５１は、Ｚ方向に対して傾斜し、θ方向一方側に行くにしたがって回転部材５０のＺ方向下側からＺ方向上側まで延在する。傾斜溝５１は、回転部材５０を厚さ方向に貫通する細長い長孔形状の貫通孔の構造を有し、Ｚ方向に対向する一対の内壁面（傾斜面）５１ａ,５１ｂを含む。
【００２８】
図１０に示すように、光学ブロック７０においてＲ方向外方に突出する嵌合爪４８を、回転部材５０の傾斜溝５１に嵌合させることで、光学ブロック７０と回転部材５０が一体に統合され、回転部材アッセンブリ８０が構成される。嵌合爪４８は、傾斜溝５１内を傾斜溝５１の延在方向に移動可能になっている。光学ブロック７０が、図１０に示す状態から回転部材５０に対して図１０にθ１に示す方向に相対回転すると、レンズ３０が回転部材５０に対してＺ方向上側に移動する。このように、傾斜溝５１内における嵌合爪４８の存在位置を調整することで、回転部材５０に対するレンズ３０のＺ方向位置を調整できるようになっている。
【００２９】
次に、筐体１０に対する回転部材アッセンブリ８０の取付構造について説明する。図３に示すように、筐体１０は、２分割構造を有し、第１部材１０ａと第２部材１０ｂを含む。図１１は、筐体１０の第１部材１０ａの斜視図である。図１１に示すように、筐体１０は、主面２４側からＺ方向下側に延在する複数の柱状部（リブ）１８を有する。柱状部１８は、光源６２に対して静止する第１静止部に設けられ、第１静止部側係止部を構成する。柱状部１８の先端面は、Ｒ方向内方側に凸の凸面１８ａとなっている。本実施例では、図１１に示す第１部材１０ａが、２つの柱状部１８を有し、第２部材１０ｂが、１つの柱状部（図示せず）を有する。
【００３０】
３つの柱状部１８の凸面１８ａは、回転部材アッセンブリ８０に含まれるレンズホルダ４０の３つのホルダ係止部４１の凹面４１ａ（図１０参照）に係止される。その後、図１２、すなわち、図１と異なる角度から見たときの照明装置１の斜視図に示すように、ねじ８８で第１部材１０ａと第２部材１０ｂを一体化することで、回転部材アッセンブリ８０が筐体１０に取り付けられ、筐体１０と一体化される。
【００３１】
図５に示すように、回転部材５０は、第１環状フランジ部５７と、それよりもＺ方向下側に位置する第２環状フランジ部５８を有し、Ｚ方向におけるそれらのフランジ部５７,５８の間には、環状溝５９が設けられる。また、筐体１０は、Ｚ方向下側にＲ方向内方側に突出する環状突出部１９を有する。第１部材１０ａと第２部材１０ｂが一体化されて、筐体１０と回転部材アッセンブリ８０が統合された状態で、環状突出部１９は環状溝５９内に配置される。Ｚ方向から見たとき、第１環状フランジ部５７は、環状突出部１９に重なる部分を有し、筐体１０においてＺ方向下側に位置する環状端面１４は、第２環状フランジ部５８に重なる部分を有する。図５に示すように、第１環状フランジ部５７の下面が環状突出部１９の上面に接触している状態で、環状端面１４は、第２環状フランジ部５８の上面に僅かな隙間を介してＺ方向に対向する。筐体１０に対する回転部材５０の下側移動は、環状突出部１９で規制され、筐体１０に対する回転部材５０の上側移動は、筐体１０の環状端面１４で規制される。その結果、回転部材５０は、筐体１０に対してＺ方向位置が略変化しない状態で筐体１０に対して相対回転可能となる。また、上記僅かな隙間が存在するため、回転部材５０を筐体１０に対して円滑に回転させることができる。筐体１０に対する回転部材５０のＺ方向位置は、その僅かな隙間のＺ方向長さだけ変動する。よって、繰り返しになるが、筐体１０に対する回転部材５０のＺ方向位置は略変動しない。
【００３２】
再度、図９を参照して、回転部材５０は、人がそれをつかんで回転させるための環状の把持部５２をＺ方向下側に有する。図１３、すなわち、照明装置１を下から見たときの斜視図に示すように、筐体１０と回転部材５０との間には隙間が存在する。したがって、人が、指をその隙間に挿入して回転部材５０の把持部５２を回転させることができ、筐体１０に対して回転部材５０をθ方向の双方向に自在に回転させることができる。
【００３３】
上記構成において、人が把持部５２を用いて筐体１０に対して回転部材５０を回転させたとする。すると、光学ブロック７０が、そのホルダ係止部４１の柱状部１８への係止によって筐体１０に対して回転できない状態となっているため、回転部材５０の回転と共に連れ回りすることがなく、回転部材５０が、光学ブロック７０に対して相対回転する。したがって、この相対回転によって、嵌合爪４８が、傾斜溝５１内を移動し、その結果、光学ブロック７０が回転部材５０に対してＺ方向に相対移動する。よって、上述のように、回転部材５０が回転しても、回転部材５０のＺ方向位置が殆ど変化しないので、光学ブロック７０のＺ方向位置を自在に変動させることができ、それに含まれるレンズ３０のＺ方向位置も自在に変動させることができる。
【００３４】
次に、レンズ３０の光軸方向位置を推奨される光軸方向位置に設定し易くて推奨される配光状態に設定し易い構造、及びその設定動作について説明する。図１１を再度参照して、第１部材１０ａは、円筒内周面の一部で構成される内面２９からＲθ平面に突出するＺ方向の端面２２を含むようにＲ方向内側に突出する円弧状突出部２３を有し、更に、その円弧状突出部２３からＺ方向の上側に窪む３つの凹部２５を有する。３つの凹部２５は、θ方向に互いに間隔をおいて配置される。本実施例では、円弧状突出部２３は、一方側凹部２５ａ、他方側凹部２５ｂ、及び中央側凹部２５ｃを有し、一方側凹部２５ａは、円弧状突出部２３のθ方向の一方側端部に設けられ、他方側凹部２５ｂは、円弧状突出部２３のθ方向の他方側端部に設けられる。また、中央側凹部２５ｃは、円弧状突出部２３のθ方向の中央部に設けられる。
【００３５】
また、図１４、すなわち、図９を異なる角度から見たときの回転部材５０の斜視図に示すように、回転部材５０は、環状の本体部５３と、本体部５３におけるＺ方向の上側端部からθ方向に突出する周方向突出部５５とを有する。また、周方向突出部５５は、Ｚ方向上側に突出する一つの凸部５６を有する。また、周方向突出部５５のＺ方向下側の端面５４は、間隔をおいた状態で本体部５３にＺ方向に対向している。換言すれば、本体部５３と、上記Ｚ方向下側の端面５４は、θ方向に延在する凹部６８を画定している。
【００３６】
再度、図５を参照して、筐体１０に対して回転部材５０が回転可能な周方向範囲の大部分で、凸部５６の先端側は、円弧状突出部２３のＺ方向下側の端面２２に接触し、その端面２２からＺ方向下側に力を受ける。そして、このＺ方向下側の力で、凸部５６が下側に弾性変形した状態になっている。
【００３７】
筐体１０に対して回転部材５０をθ方向に相対回転させると、凸部５６の先端側が、端面２２からＺ方向下側に力を受けた状態で、凸部５６が端面２２上をθ方向に移動する。そして、図５に示すように、θ方向の嵌合周方向位置で凸部５６が凹部２５に嵌り込み、凸部５６の弾性変形が開放され、その際、カチッといったクリック音が外部に発せられる。その結果、ユーザは、その回転位置が、製造メーカが推奨しているθ方向位置であることを認識でき、レンズ３０の光軸方向位置が推奨された光軸方向位置に設定できたことを認識できる。筐体１０は、光源６２に対して静止する第１静止部に含まれ、回転部材５０は、回転部材５０に対して静止する第２静止部に含まれる。
【００３８】
図１５は、回転部材５０が嵌合周方向位置に位置していないときの周方向突出部５５の状態を表す拡大模式斜視図であり、図１６は、回転部材５０が嵌合周方向位置に位置しているときの周方向突出部５５の状態を表す拡大模式斜視図である。
【００３９】
図１５に示すように、回転部材５０が嵌合周方向位置に位置していない状態では、周方向突出部５５は、回転部材５０の本体部５３に対する接続部６９付近を支点として先端側がＺ方向下側に弾性変形している。そして、凸部５６が円弧状突出部２３の端面２２を上側に強く押圧している。したがって、ユーザが仮に回転部材５０の推奨される回転位置を選択しなかった場合でも、円弧状突出部２３と周方向突出部５５との間に大きな静止摩擦力を生成することができ、筐体１０に対して回転部材５０を確実に静止させることができる。
【００４０】
これに対し、図１６に示すように、回転部材５０が嵌合周方向位置に位置して、凸部５６が凹部２５に嵌り込んでいる状態では、凸部５６の弾性変形が開放され、円弧状突出部２３が本体部５３に対する接続部６９から略Ｚ方向に直交する方向に延在している。したがって、ユーザが回転部材５０の推奨される回転位置を選択した場合、凸部５６に大きな力が作用しないため、円弧状突出部２３が損傷しにくく、回転部材５０の寿命を長くできる。
【００４１】
なお、図１６に示すように、凸部５６のθ方向の両側側面が、凸部５６の先端側行くにしたがって先細りのテーパ面５６ａ,５６ｂで構成されてもよい。また、凹部２５のθ方向の両側側面が、凸部５６のθ方向の両側側面のテーパ面５６ａ,５６ｂに対応するテーパ面２６ａ,２６ｂで構成されてもよい。このようなテーパ面２６ａ,２６ｂ,５６ａ,５６ｂを形成すれば、回転部材５０が筐体１０に対して相対回転したとき、凸部５６が凹部２５から円滑に抜け出ることができて好ましい。
【００４２】
また、本実施例では、凹部２５が、円弧状突出部２３の両端部と中央部に３か所設けられている。この３か所は、レンズ３０における推奨される広角位置、レンズ３０において推奨される狭角位置、及びレンズ３０において推奨される中角位置に設定されることができる。また、本実施例では、回転部材５０が、θ方向に互いに間隔をおいて配置される２つの傾斜溝５１を有する。よって、回転部材５０は、０°より大きくて１８０°より小さい角度範囲のみ筐体１０に対して相対回転させればよく、それに起因して、円弧状突出部２３も、照明装置１のθ方向に関して、０°より大きくて１８０°より小さい角度範囲のみに設けられている。
【００４３】
以上、照明装置１は、筐体１０、筐体１０内に配置される光源６２、及び光源６２よりもＺ方向（光源６２から出射される出射光の光軸方向）の光出射側に配置されるレンズ３０を含む光学ブロック７０を備える。また、照明装置１は、光源６２に対して静止する第１静止部に対して回転可能になっている回転部材５０を備える。また、照明装置１は、第１静止部と回転部材５０に対して静止する第２静止部とのうちの一方の静止部に設けられる１以上の凸部５６と、第１静止部と第２静止部とのうちの他方の静止部に設けられる１以上の凹部２５を含む。また、回転部材５０のθ方向（周方向）の回転可能範囲内に少なくとも１つの凸部５６が凹部２５に嵌り込む１以上の嵌合周方向位置が存在する。そして、回転部材５０が筐体に対して相対回転すると、レンズ３０におけるＺ方向の位置が変動する。
【００４４】
したがって、上述のように、嵌合周方向位置で凸部５６が凹部２５に嵌り込み、凸部５６の弾性変形が開放され、その際、カチッといったクリック音が外部に発せられる。よって、ユーザは、その回転位置が、製造メーカが推奨しているθ方向位置であることを認識でき、レンズ３０の光軸方向位置が推奨された光軸方向位置に設定できたことを認識できる。
【００４５】
また、回転部材５０が嵌合周方向位置に位置していない場合、凸部５６が、凹部２５が設けられている筐体（第１静止部と第２静止部のうちの他方の静止部）１０から力を受けてもよい。
【００４６】
本構成によれば、ユーザが、回転部材５０の推奨される回転位置を選択しなかった場合でも、凸部５６と筐体１０との間に大きな静止摩擦力を生成することができる。よって、筐体１０に対して回転部材５０を確実に静止させることができる。
【００４７】
また、回転部材５０が、環状の本体部５３と、本体部５３におけるＺ方向上側の端部からθ方向に突出する周方向突出部５５を含んでもよい。また、周方向突出部５５のＺ方向下側の端面５４が、間隔をおいた状態で本体部５３にＺ方向に対向してもよい。そして、Ｚ方向上側に突出する凸部５６が、周方向突出部５５に含まれてもよい。
【００４８】
本構成によれば、凸部５６を含む周方向突出部５５が、本体部５３の上端部からθ方向に延在し、周方向突出部５５の下側の端面５４と本体部５３の間にスペースが存在する。したがって、上記スペースが存在しているため、周方向突出部５５が、凹部２５が設けられた第１静止部又は第２静止部から受ける力でＺ方向下側に撓み易くなり、凸部５６が凹部２５に嵌り込むときの反動を大きくできる。よって、クリック感を大きくできる。
【００４９】
また、上述のように、周方向突出部５５が、Ｚ方向下側に撓み易くなるので、回転部材５０を筐体１０に対してθ方向に円滑に相対移動させ易く操作性を良好なものにできる。更には、周方向突出部５５が、Ｚ方向下側に撓み易くなるので、照明装置１を、回転部材５０が嵌合周方向位置に位置していない状態で使用するときでも、凸部５６とそれが接触する部位との静止摩擦力を大きくでき、凸部５６を当該部位に確実に係止できる。よって、そのような使用をした場合でも、僅かな振動では、回転部材５０のθ方向の位置ずれが起きにくく、回転部材５０のθ方向の位置ずれを抑制できる。
【００５０】
また、回転部材５０は、Ｚ方向の位置が略変わらずに第１静止部に対して回転可能になっていてもよい。また、光学ブロック７０は、レンズ３０を保持するレンズホルダ４０を有すると共に、第１静止部に対する相対回転が制限されていてもよい。また、回転部材５０が、Ｚ方向に対して傾斜する傾斜溝５１を有してもよく、レンズホルダ４０が傾斜溝５１に嵌り込んで回転部材５０が第１静止部に対して回転すると傾斜溝５１内における存在位置が変動する嵌合爪（嵌合部）４８を有してもよい。そして、凸部５６が、回転部材５０においてＺ方向の上側（光軸方向の光出射側とは反対側）に突出する部分でもよく、凹部２５が、筐体１０においてＺ方向の上側に窪んでいる部分でもよい。
【００５１】
本構成によれば、回転部材５０が筐体１０に対してＺ方向に上下動せずにレンズ３０をＺ方向に上下動させることができる。したがって、レンズ３０のＺ方向位置を変動させても筐体１０のＺ方向寸法が変動しないようにできる。よって、レンズ３０が製造メーカ奨励の光軸方向位置に配置できたことを容易に認識できて所望の配光角制御を実行できるだけでなく、コンパクトでしかも美観にも優れる照明装置１を実現できる。
【００５２】
なお、本開示は、上記実施形態およびその変形例に限定されるものではなく、本願の特許請求の範囲に記載された事項およびその均等な範囲において種々の改良や変更が可能である。
【００５３】
例えば、上記実施形態では、回転部材５０が嵌合周方向位置に位置していない場合、凸部５６が、凹部２５が設けられている筐体（第１静止部と第２静止部のうちので凹部が設けられた片方の静止部）１０から力を受ける場合について説明した。
【００５４】
しかし、図１７、すなわち、変形例の照明装置１０１における図１６に対応する拡大模式斜視図に示すように、凹部１２５が、θ方向（周方向）に間隔をおいて配置されてＺ方向（光軸方向）に突出する一対の突出部１９０ａ,１９０ｂによって画定されてもよい。そして、凸部１５６が突出部１９０ａ,１９０ｂからθ方向に間隔をおいた状態で、凸部１５６が第１静止部と第２静止部のうちので凹部が設けられた片方の静止部（他方の静止部）から力を受けない構成でもよい。換言すると、凸部１５６が、突出部１９０ａ,１９０ｂを乗り越えるときだけ上記片方の静止部から力を受けて撓むようにして、嵌合周方向位置以外の殆どの周方向位置で凸部１５６が上記片方の静止部から力を受けないようにしてもよく、凸部１５６が上記片方の静止部から力で損傷しにくいようにしてもよい。
【００５５】
また、光源６２に対して静止する第１静止部に凹部２５を設ける一方、回転部材５０に対して静止する第２静止部に凸部５６を設ける場合について説明した。しかし、光源に対して静止する第１静止部に凸部を設ける一方、回転部材に対して静止する第２静止部に凹部を設けてもよい。例を挙げれば、図１８、すなわち、他の変形例の照明装置２０１における図１６に対応する拡大模式斜視図に示すように、光源に対して静止する筐体２１０に凸部２５６を設ける一方、回転部材２５０に対して静止する第２静止部に含まれる回転部材２５０自身に凹部２２５を設けてもよい。
【００５６】
また、照明装置１が、少なくとも１つの凸部５６が凹部２５に嵌り込む３つの嵌合周方向位置を有する場合について説明した。しかし、照明装置は、少なくとも１つの凸部が凹部に嵌り込む１、２又は４以上の嵌合周方向位置を有してもよい。そして、特に、照明装置が、４以上の嵌合周方向位置を有する場合、回転部材が回転可能な回転可能範囲を周方向に４等分したときに生成される４つの周方向領域の夫々に少なくとも１つの嵌合周方向位置が存在してもよい。このようにすると、製造メーカが、広角領域と狭角領域の夫々に少なくとも１つの奨励位置を設定できると共に、それらの間の中角位置に少なくとも２つの奨励位置を設定できて好ましい。
【００５７】
また、照明装置１が、１つの凸部５６と、３つの凹部２５を有する場合について説明した。しかし、照明装置は、２以上の凸部を有してもよく、１、２又は４以上の凹部を有してもよい。なお、凹部の数が凸部の数よりも多くて、嵌合周方向位置では、全ての凸部が凹部に嵌り込むと好ましい。また、嵌合周方向位置で、２以上の凸部が同時に凹部に嵌めり込む構成を採用すると、嵌合周方向位置で生じるクリック感を大きくできる。
【００５８】
また、レンズ３０のＺ方向位置が変動しても筐体１０のＺ方向寸法が変化しなくて、照明装置１が美観に優れる場合について説明した。しかし、レンズのＺ方向位置が変動すると筐体のＺ方向寸法が変動してもよい。また、筐体１０に対して回転部材５０を相対回転させると、レンズ３０のＺ方向位置が変動する場合について説明した。しかし、筐体に対して回転部材を相対回転させると、レンズのＺ方向位置が変動しなくてもよい。
【００５９】
詳しくは、照明装置から出射される出射光の配光が、レンズの回転依存性を有し、レンズの回転によって変動する場合がある。このような場合に、回転部材において推奨させる周方向位置をユーザに分かり易くするために、照明装置に、上述の凸部と凹部の嵌合又は非嵌合構造を採用してもよい。この構造は、例えば、回転部材が筒状部を含むと共に筐体に対して光軸方向位置が略変動せずに相対回転可能となっている構成において、筒状部の径方向内側にレンズを固定することで、容易に実現できる。なお、筐体に対して回転部材を相対回転させると、レンズの光軸方向位置が変動すると共に、筐体に対してレンズが周方向に回転してもよい。
【００６０】
また、第２静止部において凸部５６又は凹部２２５を設ける箇所が回転部材に存在する場合について説明したが、第２静止部において凸部又は凹部が設けられる箇所は回転部材に存在しなくてもよい。例えば、レンズを周方向に回転させることで配光を変更させる場合において、上記説明した構造と同様な構造で、回転部材を光軸方向位置が略変動せずに筐体に対して回転可能とし、回転部材にレンズホルダ及びレンズを固定してもよい。そして、レンズホルダ又はレンズのＺ方向上側に凸部又は凹部を設ける一方、筐体や筐体の主面に固定されて基板を保持する取付板（図示せず）に、該凸部が嵌合する凹部や、該凹部が嵌合する凸部を設けてもよい。
【００６１】
また、回転部材５０が、本体部５３と、凸部５６を含む周方向突出部５５を有し、周方向突出部５５の下側の端面５４と本体部５３の間にスペースが存在する場合について説明した。しかし、凸部又は凹部を有する第２静止部において、凸部又は凹部を有する部位が、それ以外の部位と間隔をおいてＺ方向に対向しなくてもよい。そして、凸部又は凹部を有する部位が撓みにくいようにして、凸部又は凹部を有する部位の剛性を大きくし、当該部位が損傷しにくいようにしてもよい。
【００６２】
また、第１静止部が、凸部２５６のみを有するか、又は凹部２５,１２５のみを有し、第２静止部が、凸部５６,１５６のみを有するか、又は凹部２２５のみを有する場合について説明した。しかし、光源に対して静止する第１静止部が、１以上の凸部と１以上の凹部を有し、回転部材に対して静止する第２静止部が、１以上の凹部と１以上の凸部を有する構成でもよい。また、この場合に、例えば、第１静止部の１以上の凸部の全てが、第２静止部の凹部に嵌り込むと同時に、第２静止部の１以上の凸部の全てが、第１静止部の凹部に嵌り込む構成でもよい。
【００６３】
また、回転部材５０が傾斜溝５１を有し、光学ブロック７０が嵌合爪４８を有する場合について説明した。しかし、光学ブロックが外周面に光軸方向に対して傾斜する傾斜溝を有してもよく、回転部材が、傾斜溝に嵌り込んで回転部材が回転すると傾斜溝内における存在位置が変動する嵌合部を有してもよい。
【００６４】
また、光学ブロック７０をレンズホルダ４０及びレンズ３０で構成する場合について説明した。しかし、光学ブロックは、レンズのみで構成されてもよい。
【００６５】
また、傾斜溝５１が、回転部材５０を厚さ方向に貫通する場合について説明した。しかし、傾斜溝は、回転部材又は光学ブロックの側壁部を厚さ方向に貫通しなくてもよく、一対の側壁部の間を連結する底部を有してもよい。但し、傾斜溝が、それが形成される部材を厚さ方向に貫通する貫通孔の構造を有している場合、嵌合爪の該厚さ方向の寸法を大きくできて嵌合爪の体積を大きくできる。よって、嵌合爪の強度を大きくできて好ましい。
【００６６】
また、傾斜溝５１に嵌り込む嵌合部が、板形状の嵌合爪４８である場合について説明した。しかし、傾斜溝に嵌り込む嵌合部は、板形状以外の如何なる形状でもよく、例えば、ピン形状等を有してもよい。また、この場合、回転部材の内側に光学ブロックを配置した状態で先端部に雄ねじを有するピンを回転部材の外側から回転部材の傾斜溝を通過するように光学ブロックの側面の雌ねじに締め込むことで回転部材と光学ブロックを一体化してもよい。
【００６７】
また、レンズ嵌合部４２が、Ｒ方向内方に突出する突出部で構成され、ホルダ嵌合部３１が、Ｒ方向内側に窪む凹部で構成される場合について説明した。しかし、レンズ嵌合部が、Ｒ方向外側に窪む凹部で構成され、ホルダ嵌合部が、Ｒ方向外方に突出すると共にその凹部に嵌合する突出部で構成されてもよい。
【００６８】
また、レンズホルダ４０が、θ方向に互いに間隔をおいて配置される３つのホルダ係止部４１を有していたが、レンズホルダは、１以上のホルダ係止部を有してもよく、θ方向に互いに間隔をおいて配置される２以上のホルダ係止部を有してもよい。また、筐体１０が、θ方向に互いに間隔をおいて配置される３つの柱状部１８（第１静止部側係止部）を有していたが、筐体１０が、１以上の第１静止部側係止部を有してもよく、θ方向に互いに間隔をおいて配置される２以上の第１静止部側係止部を有してもよい。
【００６９】
また、レンズホルダ４０が、θ方向に互いに間隔をおいて配置される３つのレンズ嵌合部４２を有し、レンズ３０が、θ方向に互いに間隔をおいて配置される３つのホルダ嵌合部３１を有する場合について説明した。しかし、レンズホルダは、１以上のレンズ嵌合部を有してもよく、θ方向に互いに間隔をおいて配置される２以上のレンズ嵌合部を有してもよい。また、レンズも、１以上のホルダ嵌合部を有してもよく、θ方向に互いに間隔をおいて配置される２以上のホルダ嵌合部を有してもよい。また、照明装置１が、θ方向に互いに間隔をおいて配置される２つの傾斜溝５１を有する場合について説明した。しかし、照明装置１は、１つのみの傾斜溝を有してもよく、θ方向に互いに間隔をおいて配置される３以上の傾斜溝を有してもよい。なお、照明装置が、Ｎ（Ｎは、いずれかの自然数）の傾斜溝を有する場合、回転部材が、筐体に対して（３６０／Ｎ）°回転すればよく、照明装置が、２以上の傾斜溝を有する場合、回転部材が筐体に対して３６０°回転する必要はない。
【００７０】
また、レンズホルダ４０が、Ｚ方向に延在するホルダ係止部４１を有する場合について説明した。しかし、筐体に対するレンズホルダの連れ回り防止を、それ以外の如何なる構造で行ってもよい。例えば、レンズホルダの高さ方向上側に径方向外方に延びる突出部を設け、この突出部の径方向外方側の先端部を、筐体の内面に設けられた凹部に収容することでレンズホルダの筐体に対する連れ回り防止を行ってもよい。そのような係止は、本実施例のように筐体を分割構造にすることで実現できる。
【００７１】
また、光学ブロック７０が、そのホルダ係止部４１の柱状部１８への係止によって筐体１０に対して回転できない状態となる場合について説明した。しかし、光学ブロックは、光源に対して静止する静止部に対して周方向の狭い所定領域のみ周方向に回転可能になっていてもよく、回転部材が回転したとき、光学ブロックが周方向の僅かな範囲のみ回転部材に連れ回る構成でもよい。光源に対して静止している静止部に対する光学ブロックの相対回転を許容する構成を採用しても、相対回転の範囲を所定の周方向領域に制限することで光学ブロックの光軸方向の移動を円滑に実行できる。
【００７２】
また、回転部材５０に、第１環状フランジ部５７と、それよりもＺ方向下側に位置する第２環状フランジ部５８を設け、筐体１０の環状突出部１９を、第１環状フランジ部５７と第２環状フランジ部５８の間に配置する場合について説明した。そして、回転部材５０を、筐体１０に対するＺ方向位置が略変わらない状態で回転可能にする構成を実現する場合について説明した。
【００７３】
しかし、実施例で説明した構成と異なる構成で、回転部材が、Ｚ方向位置が略変わらない状態で筐体に対して回転可能となるようにしてもよい。例えば、回転部材の第１環状フランジ部、回転部材の第２環状フランジ部、及び筐体の環状突出部のうちの１以上は、環状構造でなくてもよく、非環状でもよい。
【００７４】
また、回転部材５０が、２つの環状フランジ部を有し、筐体１０が、径方向内方に突出する１つの環状突出部１９を有する場合について説明した。しかし、回転部材が、径方向外方に突出する１つのみの環状突出部を有し、筐体が、径方向内方に突出すると共に光軸方向位置が異なる２つの環状フランジ部を有する構成でもよい。そして、照明装置が組み立てられた際、光軸方向から見たときに環状突出部の径方向外方の先端が２つの環状フランジ部の両方に重なる状態で、環状突出部が２つの環状フランジ部の間に位置してもよい。要は、照明装置は、回転部材がそのＺ方向位置が略変わらない状態で筐体に対して回転可能となる如何なる構造を有してもよい。
【００７５】
また、照明装置１が、枠体２０の高さ方向に対する光軸方向の傾斜角度が変動可能な構成を有し、照明装置１が、所謂ユニバーサル型のダウンライトである場合について説明した。しかし、照明装置は、鉛直方向に対する光軸方向の傾斜角度を調整不可能な構成でもよく、ユニバーサル型の照明装置でなくてもよい。
【００７６】
また、ダウンライトやスポットライトは多種多様な構造が存在するが、本開示の技術は、それらの多種多様のダウンライトやスポットライトのうちのいずれの構造が基本となっていてもよい。また、照明装置１が、埋め込み型ダウンライトである場合について説明したが、照明装置は、レールに吊り下げられる形式や、天井に吊り下げられる形式でもよい。要は、本開示の照明装置は、筐体と、筐体内に配置される光源と、光源よりも光源から出射される出射光の光軸方向の光出射側に配置されるレンズを含む光学ブロックと、光源に対して静止する第１静止部に対して回転可能になっている回転部材と、を備え、第１静止部と回転部材に対して静止する第２静止部とのうちの一方の静止部に設けられる１以上の凸部と、第１静止部と第２静止部とのうちの他方の静止部に設けられる１以上の凹部とを含み、回転部材の周方向の回転可能範囲内に少なくとも１つの凸部が凹部に嵌り込む１以上の嵌合周方向位置が存在し、回転部材が筐体に対して相対回転すると、レンズにおける光軸方向の位置が変動することと、レンズが周方向に回転することの少なくとも一方が実行される構成を有すれば、如何なる構造の照明装置でもよい。
【符号の説明】
【００７７】
１,１０１,２０１  照明装置、  １０,２１０  筐体、  ２０  枠体、２５,１２５,２２５  凹部、  ３０  レンズ、  ４０  レンズホルダ、  ４８  嵌合爪、  ５０,２５０  回転部材、  ５１  傾斜溝、  ５３  回転部材の本体部、  ５４  周方向突出部の光軸方向下側の端面、  ５５  周方向突出部、  ５６,１５６,２５６  凸部、  ６２  光源、  ７０  光学ブロック、  １９０ａ,１９０ｂ  一対の突出部、  Ｒ方向  筐体の径方向、θ方向  筐体の周方向、  Ｚ方向  光軸方向（筐体の高さ方向）。
【図１】
2020113482.tif 000003
【図２】
2020113482.tif 000004
【図３】
2020113482.tif 000005
【図４】
2020113482.tif 000006
【図５】
2020113482.tif 000007
【図６】
2020113482.tif 000008
【図７】
2020113482.tif 000009
【図８】
2020113482.tif 000010
【図９】
2020113482.tif 000011
【図１０】
2020113482.tif 000012
【図１１】
2020113482.tif 000013
【図１２】
2020113482.tif 000014
【図１３】
2020113482.tif 000015
【図１４】
2020113482.tif 000016
【図１５】
2020113482.tif 000017
【図１６】
2020113482.tif 000018
【図１７】
2020113482.tif 000019
【図１８】
2020113482.tif 000020